(57)【特許請求の範囲】
【請求項１】
被写体を撮像し、撮像データを得る撮像手段と、前記撮像データに対して画像処理を施して画像データを得る画像処理手段とを有し、前記画像データを複数の記憶手段に記憶させることが可能な撮像装置であって、
前記複数の記憶手段のそれぞれに対応付けて画像処理条件を設定するための設定手段と、
前記複数の記憶手段のうち、少なくとも１つを画像データの記憶先として選択する選択手段と
を有し、
前記画像処理手段は、前記画像データの記憶先として選択された前記少なくとも１つの記憶手段に設定された前記画像処理条件を用いて前記画像処理を行うものであり、
前記選択手段により、前記複数の記憶手段に前記画像データが記憶されるように記憶先が設定された場合、前記画像処理手段は、前記撮像手段による1回の撮像により得られた撮像データに対し記憶先の前記記憶手段のそれぞれに設定された前記画像処理条件を用いて前記画像処理を行うことで、異なる画像処理が施された複数の画像データを得、
前記撮像装置は、前記複数の画像データを、施された画像処理に対応する記憶手段に記憶することを特徴とする撮像装置。
【請求項２】
前記画像処理条件が、画像のサイズ又は画像の圧縮に関する条件を含むことを特徴とする請求項１に記載の撮像装置。
【請求項３】
前記複数の記憶手段のうち、少なくとも１つは前記撮像装置に着脱可能な記憶媒体であることを特徴とする請求項１又は２に記載の撮像装置。
【発明の詳細な説明】
【０００１】
【発明の属する技術分野】
本発明は、撮影条件又は画像処理条件の異なる複数の画像を取り扱うことができる撮像装置及び方法に関する。
【０００２】
【従来の技術】
従来のこの種の撮像装置では、撮影を行う前に撮影条件や画像処理条件（例えば、画像サイズや画像の圧縮率等）を予め設定し、その条件で撮影して得られた画像データを記憶装置又は記憶媒体に保存している。
【０００３】
一方、記憶装置又は記憶媒体を複数具備する撮像装置において、撮影条件又は画像処理条件の異なる画像を夫々の記憶装置又は記憶媒体に整理して保存させたい場合がある。例えば、２つの記憶装置を持つ場合、一方の記憶装置に対しては、メモ的に小さい画像サイズ且つ高圧縮率で撮影し、画像データのサイズを小さくして多くの画像データを記憶させ、他方の記憶装置に対しては、大きい画像サイズで且つ低圧縮率で撮影し、高品質で詳細な画像データを記憶させるといった使い方をする。
【０００４】
【発明が解決しようとする課題】
しかし、従来のこの種の撮像装置では、記憶装置又は記憶媒体を選択し、且つ、撮影条件又は画像処理条件を設定してから撮影及び記憶を行い、別の記憶装置又は記憶媒体に切り替えた場合には、再度撮影条件又は画像処理条件を設定してから撮影及び記憶を行わなければならなかった。
【０００５】
例えば、上述の例では、記憶装置を選択するたびに、画像サイズ及び圧縮率の設定を行い、しかる後に撮影を行う必要が有った。
【０００６】
このように、従来は、記憶装置又は記憶媒体を切り替える毎に、撮影条件又は画像処理条件を設定し直す必要があり、その設定作業に時間を要していた。
【０００７】
そこで、本発明の目的は、記憶装置又は記憶媒体等の切り替えの度に撮影条件又は画像処理条件を設定し直す必要が無い撮像装置及び方法を提供することである。
【０００８】
【課題を解決するための手段】
上記した課題を解決すべく、本発明の撮像装置は、被写体を撮像し、撮像データを得る撮像手段と、前記撮像データに対して画像処理を施して画像データを得る画像処理手段とを有し、前記画像データを複数の記憶手段に記憶させることが可能な撮像装置であって、前記複数の記憶手段のそれぞれに対応付けて画像処理条件を設定するための設定手段と、前記複数の記憶手段のうち、少なくとも１つを画像データの記憶先として選択する選択手段とを有し、前記画像処理手段は、前記画像データの記憶先として選択された前記少なくとも１つの記憶手段に設定された前記画像処理条件を用いて前記画像処理を行うものであり、前記選択手段により、前記複数の記憶手段に前記画像データが記憶されるように記憶先が設定された場合、前記画像処理手段は、前記撮像手段による1回の撮像により得られた撮像データに対し記憶先の前記記憶手段のそれぞれに設定された前記画像処理条件を用いて前記画像処理を行うことで、異なる画像処理が施された複数の画像データを得、前記撮像装置は、前記複数の画像データを、施された画像処理に対応する記憶手段に記憶する。
本発明の撮像装置の一態様では、前記画像処理条件が、画像のサイズ又は画像の圧縮に関する条件を含む。
本発明の撮像装置の一態様では、前記複数の記憶手段のうち、少なくとも１つは前記撮像装置に着脱可能な記憶媒体である。
【００４２】
【発明の実施の形態】
以下、本発明を好ましい実施の形態に従い説明する。
【００４３】
（第１の実施の形態）
図１に、本発明の第１の実施の形態による撮像装置の構成を示す。
【００４４】
１０１は撮像素子、１０２は、その撮像素子１０１から出力されたアナログデータをデジタルデータに変換するＡ／Ｄ変換器、１０３は、そのＡ／Ｄ変換器１０２によりデジタル変換され、画像メモリ等の記憶手段に記憶された撮像データである。
【００４５】
第１の記憶媒体１１１及び第２の記憶媒体１１２は、記憶媒体選択手段１０７により、少なくとも一つが選択可能である。また、第１の画像処理パラメータ１２１及び第２の画像処理パラメータ１２２は、夫々、第１の記憶媒体１１１及び第２の記憶媒体１１２に対応した画像処理パラメータである。これらの第１の画像処理パラメータ１２１及び第２の画像処理パラメータ１２２は、画像処理パラメータ設定手段１０６により、その画像処理パラメータの内容を設定することが可能である。
【００４６】
撮像素子１０１により撮影されたアナログデータは、Ａ／Ｄ変換器１０２によりデジタルデータに変換され、撮像データ１０３となって記憶手段に記憶される。この撮像データ１０３は、記憶媒体選択手段１０７により選択された第１の記憶媒体１１１又は第２の記憶媒体１１２に対応した第１の画像処理パラメータ１２１又は第２の画像処理パラメータ１２２を使用して画像処理回路１０４により画像処理され、画像データ１０５が生成されて記憶手段に記憶される。この記憶手段に記憶された画像データ１０５は、先の記憶媒体選択手段１０７により選択された第１の記憶媒体１１１又は第２の記憶媒体１１２に格納される。
【００４７】
本実施の形態においては、第１の記憶媒体１１１は大容量の記憶媒体であり、第１の画像処理パラメータ１２１に対し、画像処理パラメータ設定手段１０６により、画像サイズが大きく且つ低圧縮率（詳細画像モード）の設定が行われる。一方、第２の記憶媒体１１２は小容量の記憶媒体であり、第２の画像処理パラメータ１２２に対しては、画像サイズは標準（第１の画像処理パラメータ１２１の画像サイズより小さい）で且つ高圧縮率（粗い画像モード）の設定が行われる。記憶媒体選択手段１０７により、メモ的に粗く小さいサイズの画像データを撮影する時は第２の記憶媒体１１２を選択し、詳細で大きいサイズの画像データを撮影する時は第１の記憶媒体１１１を選択する。
【００４８】
（第２の実施の形態）
図２に、本発明の第２の実施の形態による撮像装置の構成を示す。
【００４９】
２０１は撮像素子、２０２は、その撮像素子２０１から出力されたアナログデータをデジタルデータに変換するＡ／Ｄ変換器、２０３は、そのＡ／Ｄ変換器２０２によりデジタル変換され、画像メモリ等の記憶手段に記憶された撮像データである。
【００５０】
通信装置２１１及び記憶媒体２１２は、記憶媒体選択手段２０７により、少なくとも一つが選択可能である。
【００５１】
通信装置２１１は、通信回線２０８に接続されている。通信回線２０８は、例えば、ローカル通信網、公衆通信網、又は、無線通信網である。
【００５２】
第１の画像処理パラメータ２２１及び第２の画像処理パラメータ２２２は、夫々、通信装置２１１及び記憶媒体２１２に対応した画像処理パラメータである。これらの第１の画像処理パラメータ２２１及び第２の画像処理パラメータ２２２は、画像処理パラメータ設定手段２０６により、その画像処理パラメータの内容を設定することが可能である。
【００５３】
撮像素子２０１により撮影されたアナログデータは、Ａ／Ｄ変換器２０２によりデジタルデータに変換され、撮像データ２０３となって記憶手段に記憶される。この撮像データ２０３は、記憶媒体選択手段２０７により選択された通信装置２１１又は記憶媒体２１２に対応した第１の画像処理パラメータ２２１又は第２の画像処理パラメータ２２２を使用して画像処理回路２０４により画像処理され、画像データ２０５が生成されて記憶手段に記憶される。この記憶手段に記憶された画像データ２０５は、先の記憶媒体選択手段２０７により選択された通信装置２１１により通信回線２０８に出力されるか、又は、記憶媒体２１２に格納される。
【００５４】
本実施の形態においては、画像処理パラメータ設定手段２０６により、第１の画像処理パラメータ２２１に対し、画像サイズが小さく且つ高圧縮率（粗い画像モード）の設定が行われ、画像サイズが小さいために通信に適している。一方、記憶媒体２１２は大容量の記憶媒体であり、第２の画像処理パラメータ２２２に対しては、画像サイズが大きく且つ低圧縮率（詳細画像モード）の設定が行われる。記憶媒体選択手段１０７により、定期的に通信回線を通して送られてくる画像は粗く小さいサイズの画像データで良いので通信装置２１１を選択し、通信回線を通して送られてくる画像によって必要と思われる画像は、詳細で大きいサイズの画像データを必要とするので、記憶媒体２１２を選択する。
【００５５】
（第３の実施の形態）
図３に、本発明の第３の実施の形態による撮像装置の構成を示す。
【００５６】
３０１は撮像素子、３０２は、その撮像素子３０１から出力されたアナログデータをデジタルデータに変換するＡ／Ｄ変換器、３０３は、そのＡ／Ｄ変換器３０２によりデジタル変換され、画像メモリ等の記憶手段に記憶された撮像データである。
【００５７】
長時間記憶装置３１１及び記憶装置３１２は、記憶媒体選択手段３０７により、少なくとも一つが選択可能である。通常は、長時間記憶装置３１１に連続して記憶される。必要に応じて、記憶媒体選択手段３０７により記憶装置３１２を選択し、長時間記憶装置３１１と記憶装置３１２に同時に記憶させることが可能である。
【００５８】
標準画像処理パラメータ３２１及び高品質画像処理パラメータ３２２は、夫々、長時間記憶装置３１１及び記憶装置３１２に対応した画像処理パラメータである。これらの標準画像処理パラメータ３２１及び高品質画像処理パラメータ３２２は、画像処理パラメータ設定手段３０６により、その画像処理パラメータの内容を設定することが可能である。
【００５９】
撮像素子３０１により撮影されたアナログデータは、Ａ／Ｄ変換器３０２によりデジタルデータに変換され、撮像データ３０３となって記憶手段に記憶される。この撮像データ３０３は、記憶媒体選択手段３０７により選択された長時間記憶装置３１１及び記憶装置３１２に対応した標準画像処理パラメータ３２１及び高品質画像処理パラメータ３２２を使用して画像処理回路３０４により画像処理され、画像データ３０５が生成されて記憶手段に記憶される。この記憶手段に記憶された画像データ３０５は、先の記憶媒体選択手段３０７により選択された長時間記憶装置３１１、又は、その長時間記憶装置３１１と記憶装置３１２の両方に格納される。
【００６０】
本実施の形態において、長時間記憶装置３１１は、例えば、磁気テープや光磁気ディスク等の記憶装置、又は、それらを複合的に備えた外部接続可能な記憶装置であり、標準画像処理パラメータ３２１が対応して、標準的な画像処理を行う。一方、記憶装置３１２は、例えば、磁気ディスクや磁気テープ、光磁気ディスク等の記憶装置、又は、それらを複合的に備えた外部接続可能な記憶装置であり、高品質画像処理パラメータ３２２が対応して、高品質な画像処理を行う。
【００６１】
標準画像処理パラメータ３２１による画像処理と、高品質画像処理パラメータ３２２による画像処理では、単位時間当たりの画像データの情報量が、標準画像処理パラメータ３２１による画像処理よりも、高品質画像処理パラメータ３２２による画像処理の方が大きい。
【００６２】
通常は、記憶媒体選択手段３０７により長時間記憶装置３１１が選択されていて、継続的に標準画像処理パラメータ３２１を使用して画像処理回路３０４により画像データ３０５を作成し、長時間記憶装置３１１に記憶させる。必要に応じて、記憶媒体選択手段３０７により記憶装置３１２を選択した時は、高品質画像処理パラメータ３２２を使用して画像処理回路３０４により画像データ３０５を作成し、記憶装置３１２に記憶させると共に、標準画像処理パラメータ３２１を使用して画像処理回路３０４により画像データ３０５を作成し、長時間記憶装置３１１にも同時に記憶させる。
【００６３】
これは、例えば、ビデオカメラ等において、通常の録画を行っている途中で、決定的瞬間を、別の記憶装置を選択することにより、高品質な画像でその別の記憶装置にも録画することに利用される。
【００６４】
以上に説明した実施の形態では、記憶装置又は記憶媒体等を選択することにより、各々の記憶装置又は記憶媒体等に予め設定されている撮影条件又は画像処理条件に自動的に切り替わるので、簡単な操作且つ短時間で撮影条件又は画像処理条件の切り替えが行われ、例えば、画像を整理した形で複数の記憶装置又は記憶媒体に格納することができる。
【００６５】
（第４の実施の形態）
次に、本発明の第４の実施の形態を説明する。
【００６６】
近年、デジタル画像の撮像装置及びそのデジタル信号処理における発展に伴い、複数の撮影モードを持ち、高画質で撮影者のニーズに合った画像データが提供されるようになってきた。また、撮影した撮像データに対して、撮像装置内部でデジタル信号処理を行わず、記憶媒体にそのまま記憶させて、後に、外部装置、例えば、パーソナルコンピュータ等に取り込んで、そこでデジタル信号処理を行い、撮影者の意図する画像データの作成が行われる。更に、最近では、１回の撮影に対して、複数の予め提供されたデジタル信号パラメータを選択手段により選択し、選択されたデジタル信号処理パラメータにより信号処理を行って作成された画像データを記憶媒体に記憶する撮像装置も開発されている。
【００６７】
しかしながら、複数の撮影モードを持つ従来の撮像装置においては、撮影前にデジタル信号処理パラメータが予め決定しており、撮影後に、別のデジタル信号処理パラメータで信号処理を行った場合の画像を作成したくても不可能であった。また、デジタル信号処理を行う前の撮像データを、そのままデジタル信号処理を行わずに記憶媒体に記憶させる場合、撮像したデータサイズが大きく、記憶媒体に記憶できる画像の枚数が少なくなってしまうという問題が有った。更に、１回の撮影に対して、撮影後にデジタル信号処理パラメータを選択する場合、信号処理パラメータを選択後に、デジタル信号処理を行うために、他のデジタル信号処理パラメータの画像と比較しながら選択することができなかった。
【００６８】
そこで、以下の実施の形態では、１回の撮影に対して、自動的に２種類以上のデジタル信号処理パラメータによる信号処理を行い、デジタル信号処理前の画像データよりは小さいサイズの画像データを記憶し、一度の表示操作で、２種類以上のデジタル信号処理結果を比較し、記憶させることができるようにした。
【００６９】
図４に、本発明の第４の実施の形態による撮像装置の構成を示す。
【００７０】
４０１は撮像装置であり、この撮像装置４０１から出力されたアナログデータは、Ａ／Ｄ変換器４０２によりデジタルデータに変換されて、撮像データ４０３として記憶手段に記憶される。通常は、撮像データ４０３は、撮影モードに従ったデジタル信号処理パラメータ４１０を使用してデジタル信号処理回路４０４で信号処理され、画像データ４０５が記憶手段に生成される。その記憶手段に格納された画像データ４０５は、記憶媒体４０６に記憶されて、１枚の画像撮影が完了する。
【００７１】
本実施の形態によるモードを設定した場合には、予め設定手段４０７により、デジタル信号処理パラメータ４１１、４１２、４１３を設定しておく。そして、１回の撮影において、撮像素子４０１により撮影された画像データは、Ａ／Ｄ変換器４０２によりデジタルデータに変換されて、撮像データ４０３として記憶手段に記憶される。本モードでは、まず、撮像データ４０３に対して、デジタル信号処理パラメータ４１１を使用してデジタル信号処理回路４０４で信号処理し、画像データ４２１を記憶手段に生成する。続いて、撮像データ４０３に対し、デジタル信号処理パラメータ４１２を使用してデジタル信号処理回路４０４で信号処理し、画像データ４２２を記憶手段に生成する。最後に、撮像データ４０３に対して、デジタル信号処理パラメータ４１３を使用してデジタル信号処理回路４０４で信号処理し、画像データ４２３を記憶手段に生成する。作成された画像データ４２１、４２２、４２３は、記憶媒体４０６に格納され、１枚の画像撮影が完了する。
【００７２】
この時、記憶手段に作成された画像データ４２１、４２２、４２３は、一度に表示装置４０８へ表示を行い、選択的に記憶媒体４０６に格納することも可能である。
【００７３】
本実施の形態では、デジタル信号処理パラメータ４１１として、デフォルトのデジタル信号処理パラメータ、デジタル信号処理パラメータ４１２として、肌色重視のデジタル信号処理パラメータ、デジタル信号処理パラメータ４１３として、緑色重視のデジタル信号処理パラメータを夫々使用した。
【００７４】
この他に、銀塩カメラで使用するフィルムの特性に応じた、赤色重視のデジタル信号処理パラメータ、黄色重視のデジタル信号処理パラメータ、白黒用のデジタル信号処理パラメータや、撮影被写体による、人物対応の輪郭強調を弱めにし、輪郭をぼかした人物対応デジタル信号処理パラメータ、風景等、輪郭強調を強めにし、輪郭を強調した風景対応デジタル信号処理パラメータや、画像のイメージに応じて、柔らかな見栄えを出すために彩度を落としたデジタル信号処理パラメータ、くっきりとした見栄えを出すために彩度を強調したデジタル信号処理パラメータ等を使用しても良い。
【００７５】
（第５の実施の形態）
次に、本発明の第５の実施の形態を説明するが、この第５の実施の形態の撮像装置の構成は、図４に示した第４の実施の形態と同じであるため、図４を参照して説明する。
【００７６】
この第５の実施の形態では、銀塩カメラにおける、自動的に露出値を変更しながら撮影する機能（ＡＥＢ＝オートエクスポージャーブラケッティング）のような機能を撮像装置に実施した。
【００７７】
撮影時は、適正露出値で露光を行い、撮像素子４０１から出力されたアナログデータをＡ／Ｄ変換器４０２でデジタルデータに変換し、撮像データ４０３として記憶手段に記憶させる。この記憶された撮像データ４０３に対し、デジタル信号処理における非線型変換処理（特に、ガンマ変換処理）の特性を変更したデジタル信号処理パラメータ４１１、４１２、４１３を使用して、デジタル信号処理回路４０４で夫々信号処理を実行し、画像データ４２１、４２２、４２３を生成する。作成された画像データ４２１、４２２、４２３は記憶媒体４０６に格納されて、１枚の画像撮影が終了する。
【００７８】
本実施の形態では、デジタル信号処理パラメータ４１１は、白基準を撮像素子の感度の低い位置（図５の（ａ））、デジタル信号処理パラメータ４１２は、白基準を撮像素子の感度の標準値（図５の（ｂ））、デジタル信号処理パラメータ４１３は、白基準を撮像素子の感度の高い位置（図５の（ｃ））においた非線型変換処理（特に、ガンマ変換処理）の特性を夫々持たせた。
【００７９】
以上に説明した第４及び第５の実施の形態では、１回の撮影に対して、２種類以上のデジタル信号処理のパラメータを用いてデジタル信号処理を実行することにより、１枚の撮影データに対して、複数の特徴を持った画像を一度に作成することができ、撮影後、最適と思われる画像データを抽出することが容易にできる。また、画像データも、デジタル信号処理を行う前の撮像データよりも小さくすることができる。更に、複数のデジタル信号処理パラメータによりデジタル信号処理された画像データが記憶手段に記憶されているため、画像データの表示手段に複数枚の画像データを同時に表示させて、比較しながら画像を選択することも可能となる。
【００８０】
【発明の効果】
本発明によれば、記憶装置又は記憶媒体等を選択することにより、各々の記憶装置又は記憶媒体等に予め設定されている撮影条件又は画像処理条件に自動的に切り替わるので、簡単な操作且つ短時間で撮影条件又は画像処理条件の切り替えが行われ、例えば、画像を整理した形で複数の記憶装置又は記憶媒体に格納することができる。
【図面の簡単な説明】
【図１】本発明の第１の実施の形態による撮像装置の構成を示すブロック図である。
【図２】本発明の第２の実施の形態による撮像装置の構成を示すブロック図である。
【図３】本発明の第３の実施の形態による撮像装置の構成を示すブロック図である。
【図４】本発明の第４の実施の形態による撮像装置の構成を示すブロック図である。
【図５】本発明の第５の実施の形態における非線型変換処理（特に、ガンマ変換処理）の特性を示すグラフである。
【符号の説明】
１０１、２０１、３０１、４０１：撮像素子
１０２、２０２、３０２、４０２：Ａ／Ｄ変換器
１０３、２０３、３０３、４０３：撮像データ
１０４、２０４、３０４、４０４：（デジタル）画像処理回路
１０５、２０５、３０５、４０５、４２１、４２２、４２３：画像データ
１０６、２０６、３０６：画像処理パラメータ設定手段
１０７、２０７、３０７：記憶媒体選択手段
１１１、１１２、２１２、４０６：記憶媒体
１２１、１２２、２２１、２２２：画像処理パラメータ
２０８：通信回路
２１１：通信装置
３１１：長時間記憶装置
３１２：記憶装置
４０７：設定手段
４０８：表示装置
４１０、４１１、４１２、４１３：信号処理パラメータ
【図１】
0004829391.tif 000002
【図２】
0004829391.tif 000003
【図３】
0004829391.tif 000004
【図４】
0004829391.tif 000005
【図５】
0004829391.tif 000006